(57)【要約】【課題】移動通信システムにおける送信電力制御装置に関し、マルチコール設定時に音声が無音状態になった場合や無線アクセスベアラ（ＲＡＢ）の追加又は削除が行われた場合でも、目標品質に準拠即応した受信品質が常に得られるアウターループ制御を行う。【解決手段】移動端末装置と基地局装置（Ｎｏｄｅ−Ｂ）との間の無線接続で、複数の無線アクセスベアラ（ＲＡＢ）が物理チャネルにマッピングされ、１つの無線アクセスベアラ（ＲＡＢ）の受信品質を基に送信電力を制御する。受信品質の監視対象の音声伝送無線アクセスベアラ（ＲＡＢ＃１）が無音状態であると判定された場合、品質の監視対象の無線アクセスベアラを他の無線アクセスベアラ（例．パケットＲＡＢ）に切替えて移動端末装置の送信電力を制御する。また、無線アクセスベアラ（ＲＡＢ）の追加又は削除時に、追加又は削除後の基準ＳＩＲ値の参照値を設定してアウターループ制御を行う。【選択図】      図１
2005124044.tif 000002
【特許請求の範囲】
【請求項１】
移動端末装置と基地局装置との間の無線接続において、複数の無線アクセスベアラがマッピングされた物理チャネルについて、基地局装置側における該複数の無線アクセスベアラの１つの受信品質を基に、移動端末装置の送信電力制御用の基準値を制御する送信電力制御装置であって、
前記受信品質の監視対象の無線アクセスベアラが、無音状態の音声伝送無線アクセスベアラであるか否かを、多重化情報を基に判定する無音状態判定手段と、
前記受信品質の監視対象の無線アクセスベアラが、無音状態の音声伝送無線アクセスベアラであると判定された場合に、受信品質の監視対象の無線アクセスベアラを、無音状態の音声伝送無線アクセスベアラ以外の他の無線アクセスベアラに切替える手段とを備え、  無音状態の音声伝送無線アクセスベアラ以外の無線アクセスベアラの受信品質を基に移動端末装置の送信電力制御用の基準値を制御することを特徴とする移動通信システムにおける送信電力制御装置。
【請求項２】
移動端末装置と基地局装置との間の無線接続において、複数の無線アクセスベアラがマッピングされた物理チャネルについて、基地局装置側における該複数の無線アクセスベアラの１つの受信品質を基に、移動端末装置の送信電力制御用の基準ＳＩＲ値を制御する送信電力制御装置であって、
前記基地局装置を制御する無線ネットワーク装置に、受信品質の情報を基に、インナーループ送信電力制御のための基準ＳＩＲ値の増減値を算出する手段と、該基準ＳＩＲ値の参照値を無線アクセスベアラの追加又は削除時に更新する手段と、該基準ＳＩＲ値の参照値に前記増減値を加算する手段と、該増減値を加算した参照値を基準ＳＩＲ値の設定値として基地局装置に通知する手段とを備え、
無線アクセスベアラの追加又は削除時に更新した参照値に基づく基準ＳＩＲ値を設定して送信電力制御を行うことを特徴とする移動通信システムにおける送信電力制御装置。
【請求項３】
移動端末装置と基地局装置との間の無線接続において、複数の無線アクセスベアラがマッピングされた物理チャネルについて、基地局装置側における該複数の無線アクセスベアラの１つの受信品質を基に、移動端末装置の送信電力制御用の基準ＳＩＲ値を制御する送信電力制御装置であって、
前記基地局装置を制御する無線ネットワーク装置に、受信品質の情報を基に、インナーループ送信電力制御のための基準ＳＩＲ値の増減値を算出する手段と、該基準ＳＩＲ値の参照値を無線アクセスベアラの追加又は削除時に更新する手段と、該更新された参照値を基地局装置に通知する手段とを備え、
前記基地局装置は、前記無線ネットワーク装置から通知された参照値に増減値を加えた値を基準ＳＩＲ値として設定し、無線アクセスベアラの追加又は削除時に更新した参照値に基づく基準ＳＩＲ値を設定して送信電力制御を行うことを特徴とする移動通信システムにおける送信電力制御装置。
【発明の詳細な説明】
【技術分野】
【０００１】
本発明は、移動通信システムにおける送信電力制御装置に関し、ＣＤＭＡ（Code Division Multiple Access）方式による移動体無線通信において、移動端末装置（ＵＥ）と基地局装置（Ｎｏｄｅ−Ｂ）との間で無線接続を行う際に、基地局装置（Ｎｏｄｅ−Ｂ）における電波の受信品質に基づいて移動端末装置（ＵＥ）の送信電力制御を行う送信電力制御装置に関する。
【背景技術】
【０００２】
ＣＤＭＡ方式におけるＳＩＲ（信号電力対干渉電力比）に基づいた上りリンク送信電力制御について図６を参照して説明する。ＣＤＭＡ方式では、移動端末装置（ＵＥ）でスペクトラム拡散処理を施された後に送信された上りリンクの電波は、基地局装置（Ｎｏｄｅ−Ｂ）において逆拡散、Ｒａｋｅ合成により復調され、希望波が検出される。
【０００３】
逆拡散、Ｒａｋｅ合成後に希望波及び干渉波の受信電力が測定され、干渉波に対する希望波の電力相対値の測定値（ＳＩＲ＿ｍｅｓ）が算出される。基地局装置（Ｎｏｄｅ−Ｂ）では受信品質を保持するために、各物理チャネル毎に基準とするＳＩＲ値（ＳＩＲ＿ｔａｇ）が設定されており、スロット毎に得られた受信ＳＩＲ値（ＳＩＲ＿ｍｅｓ）を基準ＳＩＲ値（ＳＩＲ＿ｔａｇ）と比較し、その結果を移動端末装置（ＵＥ）へ送信する電力制御情報ビット（ＴＰＣ）に反映させる。移動端末装置（ＵＥ）は受信した電力制御情報ビット（ＴＰＣ）の情報を用いて、基地局装置（Ｎｏｄｅ−Ｂ）への上りリンク送信電力レベルを変動させる。
【０００４】
例えば、基地局装置（Ｎｏｄｅ−Ｂ）において受信ＳＩＲ値（ＳＩＲ＿ｍｅｓ）が基準ＳＩＲ値（ＳＩＲ＿ｔａｇ）より小さい場合、基地局装置（Ｎｏｄｅ−Ｂ）は電力制御情報ビット（ＴＰＣ）を用いて移動端末装置（ＵＥ）の送信電力を上昇させるように制御し、逆に受信ＳＩＲ値（ＳＩＲ＿ｍｅｓ）が基準ＳＩＲ値（ＳＩＲ＿ｔａｇ）より大きい場合、移動端末装置（ＵＥ）の送信電力を低下させるように制御する（インナーループ送信電力制御）。この制御により基地局装置（Ｎｏｄｅ−Ｂ）と移動端末装置（ＵＥ）と間の遠近問題を解決している。
【０００５】
また、上りリンク電力制御においては、伝搬環境や移動端末装置（ＵＥ）の移動速度に依らず、受信品質を一定に保つことが要求されており、無線ネットワーク制御装置（ＲＮＣ）より基地局装置（Ｎｏｄｅ−Ｂ）に対して、受信品質を一定に保つために基準ＳＩＲ値（ＳＩＲ＿ｔａｇ）の設定値を制御するアウターループ送信電力制御方式が採用されている。
【０００６】
無線ネットワーク制御装置（ＲＮＣ）は、特定の周期毎に基地局装置（Ｎｏｄｅ−Ｂ）における上りリンクの受信品質を監視し、該監視結果の情報を用いて基準ＳＩＲ値（ＳＩＲ＿ｔａｇ）の設定値を変更する。基地局装置（Ｎｏｄｅ−Ｂ）での受信品質が目標品質に達していない場合、無線ネットワーク制御装置（ＲＮＣ）は、基準ＳＩＲ値（ＳＩＲ＿ｔａｇ）の設定値を高い値に設定変更し、逆に受信品質が目標品質を上回っている場合、基準ＳＩＲ値（ＳＩＲ＿ｔａｇ）を低い値に設定変更する（アウターループ送信電力制御）。
【０００７】
ここで、受信品質として用いられる評価パラメータにはＱＥ（Quality Estimate）、ＣＲＣＩ（Cyclic Redundancy Check Indicator）があり、それぞれを用いたときの基準ＳＩＲ値（ＳＩＲ＿ｔａｇ）の制御方式について図７の（ａ）及び（ｂ）に示す。図７の（ａ）では、基地局装置（Ｎｏｄｅ−Ｂ）において、移動端末装置（ＵＥ）からの受信信号の復号（誤り訂正）処理を行う際にＢＥＲ（Bit Error Rate）測定を行い、その結果よりＱＥを算出し、得られた値（ＱＥ＿ｃａｌ）を受信品質として無線ネットワーク制御装置（ＲＮＣ）に通知する。
【０００８】
無線ネットワーク制御装置（ＲＮＣ）では、各無線アクセスベアラ（ＲＡＢ：Radio Access Bearer）について、目標とするＱＥ値（ＱＥ＿ｒｅｑ）が設定されており、基地局装置（Ｎｏｄｅ−Ｂ）より通知された受信ＱＥ値（ＱＥ＿ｃａｌ）と目標ＱＥ値（ＱＥ＿ｒｅｑ）との大小比較を行う。大小比較の結果、受信ＱＥ値（ＱＥ＿ｃａｌ）の方が大きい場合、無線ネットワーク制御装置（ＲＮＣ）では現時点で設定されている基準ＳＩＲ値を低くし、逆に受信ＱＥ値（ＱＥ＿ｃａｌ）の方が小さい場合は基準ＳＩＲ値の設定値を高くするよう更新する。
【０００９】
ここで更新された基準ＳＩＲ値は、無線ネットワーク制御装置（ＲＮＣ）と基地局装置（Ｎｏｄｅ−Ｂ）との間の信号送受インタフェースであるＩｕｂにて基地局装置（Ｎｏｄｅ−Ｂ）に通知され、基地局装置（Ｎｏｄｅ−Ｂ）では通知された値を基準ＳＩＲ値（ＳＩＲ＿ｔａｇ）として設定する。
【００１０】
図７の（ｂ）では、受信信号の復号（誤り訂正）処理を行う際に、ＴＴＩ（Transport Time Interval）期間単位でトランスポートブロックのＣＲＣ（Cyclic Redundancy Check）ビットにより受信誤り検出を行い、その結果をＣＲＣＩ（Cyclic Redundancy Check Indicator）として無線ネットワーク制御装置（ＲＮＣ）に通知する。
【００１１】
無線ネットワーク制御装置（ＲＮＣ）では、通知されたＣＲＣＩが「受信正常（ＯＫ）」を示していれば基準ＳＩＲ値を低くし、「受信誤り（ＮＧ）」を示していれば基準ＳＩＲ値を高く設定するように更新する。更新された基準ＳＩＲ値は、Ｉｕｂにて基地局装置（Ｎｏｄｅ−Ｂ）に通知され、基地局装置（Ｎｏｄｅ−Ｂ）での基準ＳＩＲ値（ＳＩＲ＿ｔａｇ）として設定される。
【００１２】
上りリンクの基準ＳＩＲ値は各物理チャネルに対して１つの値が設定されており、アウターループ制御において、１つの物理チャネル（例えば、周波数も拡散符号も同一のチャネル）上に複数のトランスポートチャネル（例えば、音声サービスやデータサービス等）がマッピングされている場合、その中の単一のトランスポートチャネルを対象として無線ネットワーク制御装置（ＲＮＣ）で受信品質を監視し、該監視により得られた情報を反映して基準ＳＩＲ値（ＳＩＲ＿ｔａｇ）の制御を行っている。基準ＳＩＲ値（ＳＩＲ＿ｔａｇ）は、測定対象となるトランスポートチャネルのＣＲＣ判定結果、或いはＱＥ値を用いてそれが目標値に達しているか否かにより基準ＳＩＲ値の増減処理が行われる。
【００１３】
本発明に関連する先行技術文献として、マルチコード伝送において、指定された１つの個別物理チャネルのみで送信電力を上げて制御情報（パイロットシンボル及びＴＰＣシンボル）を送信することにより、周波数資源の利用効率及び通信品質の向上を実現しているＣＤＭＡ通信方法が下記の特許文献１に記載されている。また、ハンドオーバ接続の実行前後でアウターループ制御に不整合を生じるのを回避する送信電力制御について下記の特許文献２に記載されている。また、基地局から移動局への送信制御ビットが１ビットしかない場合でも複数のチャネルのそれぞれにおいて所望の通信品質を保つことができるようにしたアウターループ送信電力制御について下記の特許文献３に記載されている。また、アウターループ送信電力制御において、伝搬環境の変動の大きさに拘わらず、受信品質を所望の品質に保つ無線通信装置が下記の特許文献４に記載されている。
【００１４】
【特許文献１】国際公開第９８／４７２５３号パンフレット
【特許文献２】特開２００１−２１７７７０号公報
【特許文献３】特開２００１−２８５１９３号公報
【特許文献４】特開２００３−１８０８９号公報
【発明の開示】
【発明が解決しようとする課題】
【００１５】
Ｉ）音声が有音状態から無音状態に切替えられた場合の課題について以下に説明する。図８にＡＭＲ（適応マルチレート）符号化による音声チャネル（Conversational / speech / UL:12.2 kbps / Circuit Switching RAB)とパケットチャネル(Interactive or background / UL:32 kbps / Packet Switching RAB）のマルチコール伝送を行う場合の上りリンクにおける符号化、多重化方式を示す。
【００１６】
音声伝送においてはＲＡＢ＃１、ＲＡＢ＃２、ＲＡＢ＃３の３つの無線アクセスベアラが規定されており、それぞれのトランスポートブロック（ＴＢ）サイズはＲＡＢ＃１で３種類（０ビット、３９ビット、８１ビット）、ＲＡＢ＃２で１種類（１０３ビット）、ＲＡＢ＃３で１種類（６０ビット）である。送信するデータビットが無い状態（無音状態）でもＲＡＢ＃１の０ビットのトランスポートブロック（ＴＢ）の伝送が行われ、それに応じてＣＲＣビットが送信される。
【００１７】
また、パケット伝送においては単一のＲＡＢが用いられ、トランスポートブロック（ＴＢ）サイズは１種類（３３６ビット）である。ここで各無線アクセスベアラ（ＲＡＢ）においてＴＴＩ期間で送信されるトランスポートブロック（ＴＢ）数、トランスポートブロック（ＴＢ）サイズをトランスポートフォーマット指標（ＴＦＩ：Transport Format Indicator）の値で示し、更に多重化の際にマッピングされる無線アクセスベアラ（ＲＡＢ）のトランスポートフォーマット指標（ＴＦＩ）の組合せに対して、トランスポートフォーマット組合せ指標（ＴＦＣＩ：Transport Format Combination Indicator）の値を割り当てる。尚、１つの物理チャネルにおける複数チャネルの多重化情報（例えば、ＴＢ数、ＴＢサイズ等）を単に多重化情報と称することとする。
【００１８】
音声伝送（上り１２．２ｋｂｐｓ）とパケット伝送（上り３２ｋｂｐｓ）のマルチコール伝送時のトランスポートフォーマット指標（ＴＦＩ）、トランスポートフォーマット組合せ指標（ＴＦＣＩ）の割り当ては、それぞれ図９の（ａ），（ｂ）のようになり、トランスポートフォーマット組合せ指標（ＴＦＣＩ）はＣ０〜Ｃ８の９通り存在する。
【００１９】
トランスポートフォーマット組合せ指標（ＴＦＣＩ）は、物理チャネル上にマッピングされた状態で移動端末装置（ＵＥ）から基地局装置（Ｎｏｄｅ−Ｂ）へ送信される。基地局装置（Ｎｏｄｅ−Ｂ）では受信されたトランスポートフォーマット組合せ指標（ＴＦＣＩ）によってトランスポートフォーマットを検出することにより、復号処理及び各無線アクセスベアラ（ＲＡＢ）のトランスポートブロック（ＴＢ）への分離処理が行われる。
【００２０】
移動端末装置（ＵＥ）において上りリンクの音声トランスポートチャネルが物理チャネル上にマッピングされる際には、図１０の（ａ）に示す畳み込み符号器（拘束長９、符号レート１／３）が用いられるが、符号化率はデータビット数に依存して変化する。畳み込み符号器に入力されるコードブロックにおけるデータビット数をＸ［ビット］、付加されたＣＲＣビット数をＣ［ビット］とすると、符号化後のビット数Ｙ［ビット］は以下の式のようになる。
Ｙ＝（Ｘ＋Ｃ＋Ｔ）×３
Ｔは符号化前にコードブロックの末尾に連結されるテールビット数で、Ｔ＝８［ビット］であり、全ビットの値が０に固定されている。
【００２１】
このときの符号化利得ＫXは以下の式で表される。
ＫX＝｛（Ｘ＋Ｃ＋Ｔ）×３｝／（Ｘ＋Ｃ）
ここで音声が無音状態（Ｘ＝０）となった場合、符号化利得は以下の式のようになる。
Ｋ0＝｛（Ｃ＋Ｔ）×３｝／Ｃ
【００２２】
無線アクセスベアラ（ＲＡＢ＃１）ではＣ＝１２［ビット］に規定されており、Ｘは最大で８１［ビット］である。この場合、符号化利得は有音時（Ｋ81＝３．２６）と無音時（Ｋ0＝５．００）とで１．８６ｄＢの差分が生じている。無音時の符号化利得が大きくなるのは、符号器に入力されるビット数の中でテールビットの占める割合が高くなるためである。有音時と無音時の両者で符号化利得に差分が生じているため、基地局装置（Ｎｏｄｅ−Ｂ）で上りリンクの信号を受信した後の復号処理において誤り訂正能力が異なることになり、品質測定結果に影響を及ぼすことになる。
【００２３】
基地局装置（Ｎｏｄｅ−Ｂ）において、移動端末装置（ＵＥ）から受信されたデータ列ａ（ｉ）｛ｉ＝１，２，３，・・・，Ｙ｝は、図１０の（ｂ）に示すようにビタビ復号器に入力され、誤り訂正が施されたデータ列ｂ（ｊ）｛ｊ＝１，２，３，・・・，Ｙ／３｝へ変換される。
【００２４】
アウターループ制御を行う際に、受信品質としてＱＥ（Quality Estimate）値を用いて無線ネットワーク制御装置（ＲＮＣ）にて品質監視を行う場合、得られたｂ（ｊ）は再度畳み込み符号器に入力され、出力ａ’（ｉ）｛ｉ＝１，２，３，・・・，Ｙ｝のデータ列が得られる。データａ（ｉ）及びａ’（ｉ）からトランスポートチャネルのビット誤り率（ＢＥＲ：Bit Error Rate）は下記の式により算出され、算出された値は品質情報としてアウターループ制御に用いられる。
【数１】
2005124044.tif 000003
【００２５】
一方、アウターループ制御を行う際に、受信品質としてＣＲＣＩ（Cyclic Redundancy Check Indicator）判定結果を用いて無線ネットワーク制御装置にて品質監視を行う場合、符号化利得の大小に依存してＣＲＣＩ判定結果出力に影響を及ぼす場合がある。音声伝送についてアウターループ制御を行った場合、無音状態の時には、符号化利得が有音時と比較して大きいために復号時の誤り訂正の性能が向上し、ＣＲＣＩ判定結果が「正常受信（ＯＫ）」となるトランスポートブロック（ＴＢ）が多くなる。そのため、無線ネットワーク制御装置（ＲＮＣ）では、有音時と比較して品質が高く見積もられてしまうこととなる。その結果、有音／無音の両状態で同等の伝送ブロック誤り率（ＢＬＥＲ）となる伝送品質が得られるようにするため、要求される基準ＳＩＲは無音状態の場合の方が小さい値となる。
【００２６】
従って、音声伝送の他、インターネット対応のコンテンツサービスデータやメール等のパケットを伝送する複数の無線アクセスベアラ（ＲＡＢ）がマッピングされている物理チャネルについて、音声伝送無線アクセスベアラ（ＲＡＢ＃１）を対象に伝送品質監視を行うアウターループ送信電力制御を実施した際、音声が有音状態から無音状態に切り替わったときに、音声伝送無線アクセスベアラ（ＲＡＢ＃１）と他のデータ伝送無線アクセスベアラ（ＲＡＢ）との間で品質の優劣に大きな格差が生じる場合がある。
【００２７】
通常、無線アクセスベアラ（ＲＡＢ）間の品質格差は、レートマッチング処理時においてビットの繰り返し又はパンクチャにより調整が行われるが、品質格差が余り大きい場合、この処理では対応しきれない場合がある。そのような状況で音声伝送無線アクセスベアラ（ＲＡＢ＃１）の品質を対象としたアウターループ制御を継続した場合、音声以外の無線アクセスベアラ（ＲＡＢ）の伝送品質が劣化する場合がある。
【００２８】
ここで具体的な例を挙げて説明する。物理チャネルに音声伝送無線アクセスベアラ（ＲＡＢ）（上り１２．２ｋｂｐｓ）がマッピングされているとき、音声の伝送品質の目標値を満たす基準ＳＩＲ値が、有音時（無線アクセスベアラＲＡＢ＃１がＴＦＩ＝２のとき）に対し、無音時（無線アクセスベアラＲＡＢ＃１がＴＦＩ＝０のとき）ではαだけ低下するものとする。
【００２９】
音声伝送無線アクセスベアラ（上り１２．２ｋｂｐｓ）とパケット伝送無線アクセスベアラ（上り３２ｋｂｐｓ）とが同一物理チャネル上にマッピングされているとき、アウターループ送信電力制御を行わない場合、及び音声伝送無線アクセスベアラ（ＲＡＢ＃１）の品質監視に基づいてアウターループ送信電力制御を行った場合の基準ＳＩＲ値の時間推移を図１１に示す。
【００３０】
基地局装置（Ｎｏｄｅ−Ｂ）では物理チャネル設定時、ＮＢＡＰ（Node B Application Protocol）通知により基準ＳＩＲ値がｓｉｒ＿１２に設定され、音声伝送無線アクセスベアラ（ＲＡＢ＃１）がトランスポートフォーマット指標（ＴＦＩ）＝２（有音状態）、パケット伝送無線アクセスベアラ（ＲＡＢ）がトランスポートフォーマット指標（ＴＦＩ）＝２であったとする。この状態で音声が有音状態から無音状態（ＴＦＩ＝０）へ切り替えられた場合を考える。
【００３１】
アウターループ送信電力制御を行わない場合は、図１１の（ａ）に示すように、音声伝送無線アクセスベアラ（ＲＡＢ）のトランスポートフォーマット指標（ＴＦＩ）の値に依らず、基準ＳＩＲ値はｓｉｒ＿１２で一定である。しかし、無音状態への切り替えによって音声伝送とパケット伝送との間で品質の優劣に格差が生じたとき、切り替えの前後において音声伝送無線アクセスベアラ（ＲＡＢ＃１）の品質監視によるアウターループ制御を継続した場合には、同図の（ｂ）に示すように、基準ＳＩＲ値がαだけ低下することになる。その結果として、音声の品質は一定に保たれるが、パケットについては無音状態に切り替わった際に、基準ＳＩＲ値が低下したことにより伝送品質が劣化することになる。
【００３２】
II）次に、無線アクセスベアラ（ＲＡＢ）の追加処理を行った場合の課題について説明する。特定の物理チャネルについてアウターループ制御実施時に、無線アクセスベアラ（ＲＡＢ）の追加処理を行った後においても、目標品質に準ずる伝送を行う必要がある。
【００３３】
物理チャネル設定時、ＮＢＡＰ通知により基地局装置（Ｎｏｄｅ−Ｂ）で基準ＳＩＲ値がｓｉｒ＿１に設定されたとする。アウターループ制御を実施しない場合、基準ＳＩＲ値は一定値（ｓｉｒ＿１）である。一方、無線アクセスベアラＲＡＢ(1)に対する品質監視に基づいてアウターループ制御を行った場合では、ｓｉｒ＿１を始点としてＩｕｂ通知により基準ＳＩＲ値の増減処理が行われる。ここで、無線アクセスベアラＲＡＢ(1)がマッピングされている物理チャネルに無線アクセスベアラＲＡＢ(2)を追加したときの基準ＳＩＲ値の時間推移について考察する。
【００３４】
図１２の（ａ）に示すように、無線ネットワーク制御装置（ＲＮＣ）は基地局装置（Ｎｏｄｅ−Ｂ）に対して、ＮＢＡＰにより無線アクセスベアラＲＡＢ(2)追加時に基準ＳＩＲ値を通知するとともに、Ｉｕｂインタフェースを介してアウターループ送信電力制御を行い、基準ＳＩＲ値を更新する。
【００３５】
無線アクセスベアラＲＡＢ(2)の追加時にＮＢＡＰにより通知される基準ＳＩＲ値がｓｉｒ＿１２であったとすると、アウターループ送信電力制御を実施しない場合では、図１２の（ｂ）に示すように、無線アクセスベアラＲＡＢ(2)の追加時に基地局装置（Ｎｏｄｅ−Ｂ）における基準ＳＩＲ値はｓｉｒ＿１２となり、その値で一定となる。
【００３６】
アウターループ送信電力制御時に無線アクセスベアラＲＡＢ(2)の追加を行ったとき、図１２（ｃ）に示すように、基地局装置（Ｎｏｄｅ−Ｂ）ではＮＢＡＰ通知により基準ＳＩＲ値が一旦ｓｉｒ＿１２に設定される。しかし、無線ネットワーク制御装置（ＲＮＣ）からのＩｕｂ通知による基準ＳＩＲの増減処理がＮＢＡＰ通知による設定と無関係に行われ、アウターループ送信電力制御による基準ＳＩＲの設定値は、無線アクセスベアラＲＡＢ(2)追加前の値を引き継いで更新される。
【００３７】
そのため、図１２の（ｃ）に示すように、無線アクセスベアラＲＡＢ(2)追加直後は基準ＳＩＲ値がｓｉｒ＿１２に上昇するが、その後のＩｕｂ通知により元の値に下がることになる。無線アクセスベアラＲＡＢ(1)及びＲＡＢ(2)の両者の目標品質を満足させるためには、基準ＳＩＲ値を上げてｓｉｒ＿１２に追従させることが必要であるが、無線アクセスベアラＲＡＢ(2)の追加後の基準ＳＩＲ値ｓｉｒ＿１２が、無線アクセスベアラＲＡＢ(2)追加前の基準ＳＩＲ値ｓｉｒ＿１に対して十分大きい値であれば、目標品質を満足するまでＳＩＲ値を上昇させるのに長時間を要することになり、その期間内では伝送品質の劣化した状態が続くこととなる。
【００３８】
III）次に、無線アクセスベアラ（ＲＡＢ）の削除処理を行った場合の課題について説明する。複数の無線アクセスベアラ（ＲＡＢ）がマッピングされている物理チャネルについてアウターループ制御実施時に単一無線アクセスベアラ（ＲＡＢ）の削除処理を行った後においても、目標品質に準ずる伝送を行う必要がある。例として、無線アクセスベアラＲＡＢ(1)及び無線アクセスベアラＲＡＢ(2)がマッピングされている物理チャネルで、無線アクセスベアラＲＡＢ(2)を削除したときの基準ＳＩＲ値の時間推移を、アウターループ制御を実施しない場合及び実施した場合について図１３に示す。
【００３９】
無線アクセスベアラＲＡＢ(1)及び無線アクセスベアラＲＡＢ(2)がマッピングされた物理チャネルが設定されたとき、基地局装置（Ｎｏｄｅ−Ｂ）ではＮＢＡＰ通知により基準ＳＩＲ値がｓｉｒ＿１２’に設定されたとする。アウターループ送信電力制御を実施しない場合、基準ＳＩＲ値は一定値ｓｉｒ＿１２’である。一方、無線アクセスベアラＲＡＢ(1)に対する品質監視に基づいてアウターループ送信電力制御を行った場合では、ｓｉｒ＿１２’を始点としてＩｕｂ通知により基準ＳＩＲ値の増減処理が行われる。
【００４０】
ここで無線アクセスベアラＲＡＢ(2)が削除された場合の基準ＳＩＲ値の時間推移を考察する。図１３の（ａ）に示すように、無線ネットワーク制御装置（ＲＮＣ）は基地局装置（Ｎｏｄｅ−Ｂ）に対して、ＮＢＡＰにより無線アクセスベアラＲＡＢ(2)削除時に基準ＳＩＲ値を通知するとともに、Ｉｕｂインタフェースを介してアウターループ送信電力制御を行い、基準ＳＩＲ値を更新する。
【００４１】
無線アクセスベアラＲＡＢ(2)削除時にＮＢＡＰで通知される基準ＳＩＲ値がｓｉｒ＿１’であったとすると、アウターループ制御を実施しない場合では、図１３の（ｂ）に示すように、無線アクセスベアラＲＡＢ(2)削除時に基地局装置（Ｎｏｄｅ−Ｂ）における基準ＳＩＲ値はｓｉｒ＿１’となり、その値で一定となる。
【００４２】
アウターループ制御時に無線アクセスベアラＲＡＢ(2)の削除を行ったとき、図１３の（ｃ）に示すように、ＮＢＡＰ通知により基地局装置（Ｎｏｄｅ−Ｂ）における基準ＳＩＲ値は一旦ｓｉｒ＿１’に設定される。しかし、Ｉｕｂ通知による基準ＳＩＲの増減処理がＮＢＡＰ通知による設定と無関係に行われ、アウターループ送信電力制御による基準ＳＩＲ値の設定値は、無線アクセスベアラＲＡＢ(2)削除前の値を引き継いで更新される。
【００４３】
そのため、図１３の（ｃ）に示すように、無線アクセスベアラＲＡＢ(2)削除の直後は基地局装置（Ｎｏｄｅ−Ｂ）における基準ＳＩＲ値がｓｉｒ＿１’に下降するが、その後のＩｕｂ通知により元の値に上昇することになり、無線アクセスベアラＲＡＢ(1)の品質は目標値に対して過剰になる。
【００４４】
無線アクセスベアラＲＡＢ(1)の品質を目標値まで低下させるには、基準ＳＩＲ値を下げてｓｉｒ＿１’に追従させることが必要であるが、基準ＳＩＲ値ｓｉｒ＿１’が無線アクセスベアラＲＡＢ(2)削除前の基準ＳＩＲ値ｓｉｒ＿１２’に対して十分小さい値である場合、基準ＳＩＲ値を下げるのに長時間を要することになり、その期間内では品質過剰の状態が続くことになる。
【００４５】
本発明は、移動通信システムにおけるアウターループ送信電力制御において、音声が有音状態から無音状態に切替えられた場合や、無線アクセスベアラ（ＲＡＢ）の追加又は削除が行われた場合のように、無線アクセスベアラ（ＲＡＢ）の変更或いはデータビット数の著しい変動が生じた場合においても、設定されている無線アクセスベアラ（ＲＡＢ）について目標品質に準拠即応した受信品質が常に得られる伝送を可能とし、マルチコール設定時におけるアウターループ制御の性能向上を図ることを目的とする。
【課題を解決するための手段】
【００４６】
本発明の移動通信システムにおける送信電力制御装置は、（１）移動端末装置と基地局装置との間の無線接続において、複数の無線アクセスベアラがマッピングされた物理チャネルについて、基地局装置側における該複数の無線アクセスベアラの１つの受信品質を基に、移動端末装置の送信電力を制御するアウターループ送信電力制御装置であって、前記受信品質の監視対象の無線アクセスベアラが、無音状態の音声伝送無線アクセスベアラであるか否かをトランスポートフォーマット指標の値を基に判定する無音状態判定手段と、前記受信品質の監視対象の無線アクセスベアラが、無音状態の音声伝送無線アクセスベアラであると判定された場合に、受信品質の監視対象の無線アクセスベアラを、無音状態の音声伝送無線アクセスベアラ以外の他の無線アクセスベアラに切替える手段とを備え、無音状態の音声伝送無線アクセスベアラ以外の無線アクセスベアラの受信品質を基に移動端末装置の送信電力を制御することを特徴とする。
【００４７】
また、（２）前記基地局装置を制御する無線ネットワーク装置に、受信品質の情報を基に、インナーループ送信電力制御のための基準ＳＩＲ値の増減値を算出する手段と、該基準ＳＩＲ値の参照値を無線アクセスベアラの追加又は削除時に更新する手段と、該基準ＳＩＲ値の参照値に前記増減値を加算する手段と、該増減値を加算した参照値を基準ＳＩＲ値の設定値として基地局装置に通知する手段とを備え、無線アクセスベアラの追加又は削除時に更新した参照値に基づく基準ＳＩＲ値を設定して送信電力制御を行うことを特徴とする。
【００４８】
また、（３）前記基地局装置を制御する無線ネットワーク装置に、受信品質の情報を基に、インナーループ送信電力制御のための基準ＳＩＲ値の増減値を算出する手段と、該基準ＳＩＲ値の参照値を無線アクセスベアラの追加又は削除時に更新する手段と、該更新された参照値を基地局装置に通知する手段とを備え、前記基地局装置は、前記無線ネットワーク装置から通知された参照値に増減値を加えた値を基準ＳＩＲ値として設定し、無線アクセスベアラの追加又は削除時に更新した参照値に基づく基準ＳＩＲ値を設定して送信電力制御を行うことを特徴とする。
【発明の効果】
【００４９】
本発明によれば、複数の無線アクセスベアラがマッピングされた物理チャネルについて、移動端末装置の送信電力を制御するアウターループ送信電力制御において、受信品質の監視対象の無線アクセスベアラが、無音状態の音声伝送無線アクセスベアラであると判定された場合に、受信品質の監視対象の無線アクセスベアラを、無音状態の音声伝送無線アクセスベアラ以外の他の無線アクセスベアラに切替えることにより、無音状態に切り替わったときにおける基準ＳＩＲ値の急低下を防ぐことができ、他の無線アクセスベアラの品質を保持することが可能となる。
【００５０】
また、受信品質の情報を基に、インナーループ送信電力制御のための基準ＳＩＲ値の増減値を算出し、該基準ＳＩＲ値の参照値を無線アクセスベアラの追加又は削除時に更新し、該基準ＳＩＲ値の参照値に前記増減値を加算した参照値を基準ＳＩＲ値の設定値として基地局装置に通知し、無線アクセスベアラの追加又は削除時に更新した参照値に基づく基準ＳＩＲ値を設定して送信電力制御を行うことにより、無線アクセスベアラの追加又は削除時の品質の劣化又は過剰な品質維持を防ぐことができる。
【００５１】
また、受信品質の情報を基に、インナーループ送信電力制御のための基準ＳＩＲ値の増減値を算出し、該基準ＳＩＲ値の参照値を無線アクセスベアラの追加又は削除時に更新し、該更新された参照値を基地局装置に通知し、基地局装置は、無線ネットワーク装置から通知された参照値に増減値を加えた値を基準ＳＩＲ値として設定し、無線アクセスベアラの追加又は削除時に更新した参照値に基づく基準ＳＩＲ値を設定して送信電力制御を行うことにより、無線アクセスベアラの追加又は削除時の品質の劣化又は過剰な品質維持を防ぐことができる。
【００５２】
以上のように、本発明によれば、アウターループ制御において、無線アクセスベアラ（ＲＡＢ）の変更時、或いはデータビット数の著しい変動が生じた場合においても、設定されている無線アクセスベアラ（ＲＡＢ）について目標品質に準拠即応した受信品質が常に得られる伝送を可能とし、マルチコール設定時におけるアウターループ制御の性能向上を図ることができる。
【発明を実施するための最良の形態】
【００５３】
図１に本発明の第１の実施形態を示す。本発明の第1の実施形態は、アウターループ送信電力制御実施時、データビットを含まないＡＭＲ（適応マルチレート）符号化の音声伝送無線アクセスベアラ（ＲＡＢ＃１）が物理チャネル上にマッピングされている場合、無線ネットワーク制御装置（ＲＮＣ）における無線アクセスベアラ（ＲＡＢ）の品質監視を以下のように行うものである。
【００５４】
音声伝送無線アクセスベアラ（ＲＡＢ＃１）の他、複数の無線アクセスベアラ（ＲＡＢ）がマッピングされている物理チャネルにおいて、アウターループ送信電力制御を行う場合、音声伝送無線アクセスベアラ（ＲＡＢ＃１）のトランスポートフォーマット指標（ＴＦＩ）にてデータの有無を判別する。各無線アクセスベアラ（ＲＡＢ）のトランスポートフォーマット指標（ＴＦＩ）の値は、基地局装置（Ｎｏｄｅ−Ｂ）で受信されたトランスポートフォーマット組合せ指標（ＴＦＣＩ）によって導出され、無線ネットワーク制御装置（ＲＮＣ）に通知される。
【００５５】
ここで音声伝送無線アクセスベアラ（ＲＡＢ＃１）がトランスポートフォーマット指標（ＴＦＩ）＝０であった場合、該音声伝送無線アクセスベアラ（ＲＡＢ＃１）についてはアウターループ送信電力制御における品質監視対象から除外する。音声伝送無線アクセスベアラ（ＲＡＢ＃１）について品質監視を行っている状態で、トランスポートフォーマット指標（ＴＦＩ）の値が０に切り替わった場合、無線ネットワーク制御装置（ＲＮＣ）では、アウターループ送信電力制御における品質監視対象をトランスポートフォーマット指標（ＴＦＩ）が０でない他の無線アクセスベアラ（ＲＡＢ）に切り替えてアウターループ送信電力制御を継続する。
【００５６】
図１に示す第１の実施形態において、音声伝送無線アクセスベアラ（ＲＡＢ＃１）（上り１２．２ｋｂｐｓ）とパケット伝送無線アクセスベアラ（ＲＡＢ）（上り３２ｋｂｐｓ）とがマッピングされている物理チャネルで、アウターループ送信電力制御が行われているものとする。物理チャネル設定時の基準ＳＩＲ値のＮＢＡＰ通知による設定値はｓｉｒ＿１２とし、音声伝送無線アクセスベアラ（ＲＡＢ＃１）がトランスポートフォーマット指標（ＴＦＩ）＝２（有音状態）、パケット伝送無線アクセスベアラ（ＲＡＢ）がトランスポートフォーマット指標（ＴＦＩ）＝２であったとする。
【００５７】
基地局装置（Ｎｏｄｅ−Ｂ）では受信したトランスポートフォーマット組合せ指標（ＴＦＣＩ）より各無線アクセスベアラ（ＲＡＢ）のトランスポートフォーマット指標（ＴＦＩ）を導出して無線ネットワーク制御装置（ＲＮＣ）に通知し、無線ネットワーク制御装置（ＲＮＣ）では有音である音声伝送無線アクセスベアラ（ＲＡＢ＃１）を品質監視対象としてアウターループ送信電力制御を行う（図１（ａ）の上部参照）。その状態で音声が有音から無音（トランスポートフォーマット指標（ＴＦＩ）＝０）に切り替わったときの動作を同図（ａ）の下部に、基準ＳＩＲ値の推移を同図（ｂ）に示す。
【００５８】
無音状態に切り替わったとき、無線ネットワーク制御装置（ＲＮＣ）では、音声伝送無線アクセスベアラ（ＲＡＢ＃１）がトランスポートフォーマット指標（ＴＦＩ）＝０になったことを認識して品質監視の対象から除外し、トランスポートフォーマット指標（ＴＦＩ）＝２であるパケット伝送無線アクセスベアラ（ＲＡＢ）に監視対象を切り替えた上でアウターループ送信電力制御を継続し、基準ＳＩＲ値を基地局装置（Ｎｏｄｅ−Ｂ）に通知する。こうするにより、音声が無音状態に切り替わった時の基準ＳＩＲ値の急低下を防ぐことが可能となり、パケット伝送の品質を保持することが可能となる。
【００５９】
次に、本発明の第２の実施形態について説明する。本発明の第２の実施形態において、アウターループ送信電力制御実施時、無線アクセスベアラ（ＲＡＢ）の追加／削除を行ったときの基準ＳＩＲ値の設定を以下のように行う。ここで、特定の物理チャネルが設定されたときに、ＮＢＡＰ通知により設定された基準ＳＩＲ値をＳＩＲ＿ｂｅｆｏｒｅとし、この状態でアウターループ送信電力制御が行われていたとする。
【００６０】
無線ネットワーク制御装置（ＲＮＣ）では、基地局装置（Ｎｏｄｅ−Ｂ）から得られた上りリンク受信品質情報を基に基準ＳＩＲ値の増減値（ΔＳＩＲ）が導出される。この値はアウターループ送信電力制御において特定周期毎に変化する。ここで無線ネットワーク制御装置（ＲＮＣ）ではΔＳＩＲの値が更新される度に、ＳＩＲ＿ｂｅｆｏｒｅを参照値として加算し、得られた値（ＳＩＲ＿ｂｅｆｏｒｅ＋ΔＳＩＲ）をＩｕｂにより基地局装置（Ｎｏｄｅ−Ｂ）に通知する。基地局装置（Ｎｏｄｅ−Ｂ）ではこの加算された値を基準ＳＩＲ値として設定更新する。
【００６１】
このアウターループ送信電力制御を継続している状態で、無線アクセスベアラ（ＲＡＢ）の追加／削除処理を行ったとき、ＮＢＡＰにより通知される基準ＳＩＲ値をＳＩＲ＿ａｆｔｅｒとする。このとき、無線ネットワーク制御装置（ＲＮＣ）では、基準ＳＩＲの参照値をＳＩＲ＿ｂｅｆｏｒｅからＳＩＲ＿ａｆｔｅｒに変更し、ΔＳＩＲの値が更新される度に参照値との加算値（ＳＩＲ＿ａｆｔｅｒ＋ΔＳＩＲ）をＩｕｂにより基地局装置（Ｎｏｄｅ−Ｂ）に通知して基準ＳＩＲ値の設定更新を行う。基準ＳＩＲ値の参照値はＮＢＡＰにより基地局装置（Ｎｏｄｅ−Ｂ）に通知され、無線アクセスベアラ（ＲＡＢ）の追加／削除処理が行われる度に随時更新される。
【００６２】
本発明の第２の実施形態による無線アクセスベアラ（ＲＡＢ）追加処理の前後におけるアウターループ送信電力制御の動作を図２の（ａ）に、基準ＳＩＲ値の時間推移を同図の（ｂ）に示す。ここで、無線アクセスベアラＲＡＢ(1)がマッピングされている物理チャネルで、アウターループ送信電力制御が行われているものとする。物理チャネル設定時は、基準ＳＩＲ値がＮＢＡＰ通知によりｓｉｒ＿１に設定され、無線アクセスベアラＲＡＢ(1)を品質監視対象としたアウターループ送信電力制御により基準ＳＩＲ値の増減値Δｓｉｒの算出が行われている。
【００６３】
増減値Δｓｉｒの値が更新されたとき、無線ネットワーク制御装置（ＲＮＣ）では増減値Δｓｉｒを参照値ｓｉｒ＿１に加算した値（ｓｉｒ＿１＋Δｓｉｒ）をＩｕｂにより基地局装置（Ｎｏｄｅ−Ｂ）に通知し、基地局装置（Ｎｏｄｅ−Ｂ）では該加算した値により基準ＳＩＲ値の更新を行う。
【００６４】
その状態で無線アクセスベアラＲＡＢ(2)が追加されたとき、無線ネットワーク制御装置（ＲＮＣ）では、基準ＳＩＲ値の参照値をｓｉｒ＿１２に変更した上でアウターループ送信電力制御を継続し、算出された基準ＳＩＲ値（ｓｉｒ＿１２＋Δｓｉｒ）を基地局装置（Ｎｏｄｅ−Ｂ）に通知することにより、基地局装置（Ｎｏｄｅ−Ｂ）における基準ＳＩＲ値を設定更新する。ここでｓｉｒ＿１２は無線アクセスベアラＲＡＢ(2)追加処理を行う際のＮＢＡＰ設定による基準ＳＩＲ値であり、［ｓｉｒ＿１＜ｓｉｒ＿１２］である。
【００６５】
この基準ＳＩＲ値の設定更新により、追加前の基準ＳＩＲ値の参照値ｓｉｒ＿１に対して追加後の基準ＳＩＲ値の参照値ｓｉｒ＿１２が十分大きい値であった場合でも、図２の（ｂ）に示すように、無線アクセスベアラ（ＲＡＢ）追加処理から瞬時に無線アクセスベアラ（ＲＡＢ）変更後の品質監視に適応した基準ＳＩＲ値を設定してアウターループ送信電力制御を行うことが可能となり、品質の劣化を防ぐことが可能となる。
【００６６】
本発明の第２の実施形態による次に無線アクセスベアラ（ＲＡＢ）削除処理の前後におけるアウターループ送信電力制御の動作を図３の（ａ）に、基準ＳＩＲ値の時間推移を同図の（ｂ）に示す。ここで、無線アクセスベアラＲＡＢ(1)及びＲＡＢ(2)がマッピングされている物理チャネルでアウターループ送信電力制御が行われているものとする。物理チャネル設定時は、基準ＳＩＲ値がＮＢＡＰ通知によりｓｉｒ＿１２’に設定され、無線アクセスベアラＲＡＢ(1)を品質監視対象としたアウターループ送信電力制御により基準ＳＩＲ値の増減値Δｓｉｒが算出されている。
【００６７】
増減値Δｓｉｒが更新されたとき、無線ネットワーク制御装置（ＲＮＣ）では、参照値ｓｉｒ＿１２’に増減値Δｓｉｒを加算した値（ｓｉｒ＿１２’＋Δｓｉｒ）を、Ｉｕｂにより基地局装置（Ｎｏｄｅ−Ｂ）に通知し、基地局装置（Ｎｏｄｅ−Ｂ）で該加算値により基準ＳＩＲ値の更新を行う。
【００６８】
その状態で無線アクセスベアラＲＡＢ(2)が削除されたとき、無線ネットワーク制御装置（ＲＮＣ）では、基準ＳＩＲ値の参照値をｓｉｒ＿１’に変更した上でアウターループ送信電力制御を継続し、算出された基準ＳＩＲ値（ｓｉｒ＿１’＋Δｓｉｒ）を、基地局装置（Ｎｏｄｅ−Ｂ）に通知することにより、基地局装置（Ｎｏｄｅ−Ｂ）における基準ＳＩＲ値を設定更新する。ここでｓｉｒ＿１’は、無線アクセスベアラＲＡＢ(2)を削除した際のＮＢＡＰ設定による基準ＳＩＲ値の参照値であり、［ｓｉｒ＿１２’＞ｓｉｒ＿１’］である。
【００６９】
この設定更新により、削除前の基準ＳＩＲ値の参照値ｓｉｒ＿１２’に対して削除後の基準ＳＩＲ値の参照値ｓｉｒ＿１’が十分小さい値であった場合でも、図３の（ｂ）に示すように、無線アクセスベアラＲＡＢ(2)削除から瞬時に無線アクセスベアラ（ＲＡＢ）変更後の品質監視に適応した基準ＳＩＲ値でアウターループ送信電力制御を行うことが可能となり、過剰な高品質維持を防ぐことが可能となる。
【００７０】
次に、本発明の第３の実施形態について説明する。本発明の第３の実施形態において、アウターループ送信電力制御実施時、無線アクセスベアラ（ＲＡＢ）の追加／削除を行ったときの基準ＳＩＲ値の設定は以下のように行う。ここで、特定の物理チャネルが設定されたときに、ＮＢＡＰ通知により設定された基準ＳＩＲ値をＳＩＲ＿ｂｅｆｏｒｅとし、この状態でアウターループ送信電力制御が行われていたとする。
【００７１】
無線ネットワーク制御装置（ＲＮＣ）では、基地局装置（Ｎｏｄｅ−Ｂ）から得られた上りリンク受信品質情報を基に基準ＳＩＲ値の増減値（ΔＳＩＲ）が導出される。この値はアウターループ送信電力制御において特定周期毎に変化する。ここで無線ネットワーク制御装置（ＲＮＣ）はΔＳＩＲの値が更新される度に、この値をＩｕｂにより基地局装置（Ｎｏｄｅ−Ｂ）に通知する。
【００７２】
基地局装置（Ｎｏｄｅ−Ｂ）では無線ネットワーク制御装置（ＲＮＣ）から受信された増減値ΔＳＩＲに対してＳＩＲ＿ｂｅｆｏｒｅを参照値として加算し、得られた加算値（ＳＩＲ＿ｂｅｆｏｒｅ＋ΔＳＩＲ）を基準ＳＩＲ値として設定更新する。このアウターループ送信電力制御を継続している状態で、無線アクセスベアラ（ＲＡＢ）の追加／削除処理を行ったとき、ＮＢＡＰにより通知される基準ＳＩＲ値をＳＩＲ＿ａｆｔｅｒとする。
【００７３】
このとき、基地局装置（ＮＯＤＥ−Ｂ）では、基準ＳＩＲ値の参照値をＳＩＲ＿ｂｅｆｏｒｅからＳＩＲ＿ａｆｔｅｒに変更し、増減値ΔＳＩＲが無線ネットワーク制御装置（ＲＮＣ）から基地局装置（ＮＯＤＥ−Ｂ）にＩｕｂにより通知される度に、参照値との加算値（ＳＩＲ＿ａｆｔｅｒ＋ΔＳＩＲ）を算出して基準ＳＩＲ値の設定更新を行う。基準ＳＩＲ値の参照値は、ＮＢＡＰ通知による無線アクセスベアラ（ＲＡＢ）の追加／削除処理が行われる度に随時更新される。
【００７４】
本発明の第３の実施形態による無線アクセスベアラ（ＲＡＢ）追加処理の前後におけるアウターループ送信電力制御の動作を図４の（ａ）に、基準ＳＩＲ値の時間推移を同図の（ｂ）に示す。ここで、無線アクセスベアラＲＡＢ(1)がマッピングされている物理チャネルでアウターループ送信電力制御が行われているものとする。物理チャネル設定時は、基準ＳＩＲ値がＮＢＡＰ通知によりｓｉｒ＿１に設定され、無線アクセスベアラＲＡＢ(1)を品質監視対象としたアウターループ送信電力制御により基準ＳＩＲ値の増減値Δｓｉｒの算出が行われている。
【００７５】
増減値Δｓｉｒの値が更新されたとき、無線ネットワーク制御装置（ＲＮＣ）では増減値ΔｓｉｒをＩｕｂにより基地局装置（Ｎｏｄｅ−Ｂ）に通知する。基地局装置（Ｎｏｄｅ−Ｂ）では無線ネットワーク制御装置（ＲＮＣ）から受信された増減値Δｓｉｒに対して基準ＳＩＲ値の参照値ｓｉｒ＿１を加算し、加算された値（ｓｉｒ＿１＋Δｓｉｒ）を基準ＳＩＲ値として設定更新する。
【００７６】
その状態で無線アクセスベアラＲＡＢ(2)が追加されたとき、基地局装置（Ｎｏｄｅ−Ｂ）では基準ＳＩＲ値の参照値をｓｉｒ＿１２に変更した上で、アウターループ送信電力制御により無線ネットワーク制御装置（ＲＮＣ）から通知される増減値Δｓｉｒの値を加算し、得られた値（ｓｉｒ＿１２＋Δｓｉｒ）を基準ＳＩＲ値として設定更新する。ここでｓｉｒ＿１２は無線アクセスベアラＲＡＢ(2)追加処理を行う際のＮＢＡＰ通知による基準ＳＩＲ値であり、［ｓｉｒ＿１＜ｓｉｒ＿１２］である。
【００７７】
この設定更新により、追加前の基準ＳＩＲ値の参照値ｓｉｒ＿１に対して追加後の基準ＳＩＲ値の参照値ｓｉｒ＿１２が十分大きい値であった場合でも、図４の（ｂ）に示すように、無線アクセスベアラ（ＲＡＢ）追加処理から瞬時に無線アクセスベアラ（ＲＡＢ）変更後の品質監視に適応した基準ＳＩＲ値を設定してアウターループ送信電力制御を行うことが可能となり、品質の劣化を防ぐことが可能となる。
【００７８】
次に本発明の第３の実施形態による無線アクセスベアラ（ＲＡＢ）削除処理の前後におけるアウターループ送信電力制御の動作を図５の（ａ）に、基準ＳＩＲ値の時間推移を同図の（ｂ）に示す。ここで、無線アクセスベアラＲＡＢ(1)及びＲＡＢ(2)がマッピングされている物理チャネルでアウターループ送信電力制御行われているものとする。物理チャネル設定時は、基準ＳＩＲ値がＮＢＡＰ通知によりｓｉｒ＿１２’に設定され、無線アクセスベアラＲＡＢ(1)を品質監視対象としたアウターループ送信電力制御により基準ＳＩＲ値の増減値Δｓｉｒが算出されている。
【００７９】
増減値Δｓｉｒが更新されたとき、無線ネットワーク制御装置（ＲＮＣ）は増減値ΔｓｉｒをＩｕｂにより基地局装置（Ｎｏｄｅ−Ｂ）に通知する。基地局装置（Ｎｏｄｅ−Ｂ）では無線ネットワーク制御装置（ＲＮＣ）から受信された増減値Δｓｉｒに対して、基準ＳＩＲの参照値ｓｉｒ＿１２’を加算し、得られた値（ｓｉｒ＿１２’＋Δｓｉｒ）を基準ＳＩＲ値として設定更新する。
【００８０】
その状態で無線アクセスベアラＲＡＢ(2)が削除されたとき、基地局装置（Ｎｏｄｅ−Ｂ）では基準ＳＩＲ値の参照値をｓｉｒ＿１’に変更した上で、アウターループ送信電力制御により無線ネットワーク制御装置（ＲＮＣ）から通知される増減値Δｓｉｒを加算し、得られた値（ｓｉｒ＿１’＋Δｓｉｒ）を基準ＳＩＲ値として設定更新する。ここでｓｉｒ＿１’は、無線アクセスベアラＲＡＢ(2)を削除した際のＮＢＡＰ設定による基準ＳＩＲ値の参照値であり、［ｓｉｒ＿１’＜ｓｉｒ＿１２’］である。
【００８１】
この設定更新により、削除前の基準ＳＩＲ値の参照値ｓｉｒ＿１２’に対して削除後の基準ＳＩＲ値の参照値ｓｉｒ＿１’が十分小さい値であった場合でも、図５の（ｂ）に示すように、無線アクセスベアラ(2)削除から瞬時に無線アクセスベアラ（ＲＡＢ）変更後の品質監視に適応した基準ＳＩＲ値でアウターループ送信電力制御を行うことが可能となり、過剰な高品質維持を防ぐことが可能となる。
【図面の簡単な説明】
【００８２】
【図１】本発明の第１の実施形態による音声ＲＡＢの無音状態切替わり時の動作及び基準ＳＩＲ値時間推移を示す図である。
【図２】本発明の第２の実施形態によるＲＡＢ追加時の動作及び基準ＳＩＲ値時間推移を示す図である。
【図３】本発明の第２の実施形態によるＲＡＢ削除時の動作及び基準ＳＩＲ値時間推移を示す図である。
【図４】本発明の第３の実施形態によるＲＡＢ追加時の動作及び基準ＳＩＲ値時間推移を示す図である。
【図５】本発明の第３の実施形態によるＲＡＢ削除時の動作及び基準ＳＩＲ値時間推移を示す図である。
【図６】上りリンク送信電力制御の説明図である。
【図７】受信品質パラメータにＱＥ、ＣＲＣＩを用いたアウターループ送信電力制御の説明図である。
【図８】音声ＲＡＢとパケットＲＡＢのマルチコール伝送を行う上りリンクの符号化、多重化方式を示す図である。
【図９】音声とパケットのマルチコール伝送時のトランスポートフォーマット指標（ＴＦＩ）、トランスポートフォーマット組合せ指標（ＴＦＣＩ）の割り当てを示す図である。
【図１０】上りリンクにおける畳み込み符号とトランスポートチャネルビットエラーレート算出の説明図である。
【図１１】従来の音声ＲＡＢの無音状態切替わり時の基準ＳＩＲ値時間推移を示す図である。
【図１２】従来のＲＡＢ追加時の基準ＳＩＲ値時間推移を示す図である。
【図１３】従来のＲＡＢ削除時の基準ＳＩＲ値時間推移を示す図である。
【符号の説明】
【００８３】
Ｎｏｄｅ−Ｂ  基地局装置
ＲＮＣ  無線ネットワーク制御装置
ＳＩＲ  信号電力対干渉電力比
ＴＦＩ  トランスポートフォーマット指標
【図１】
2005124044.tif 000004
【図２】
2005124044.tif 000005
【図３】
2005124044.tif 000006
【図４】
2005124044.tif 000007
【図５】
2005124044.tif 000008
【図６】
2005124044.tif 000009
【図７】
2005124044.tif 000010
【図８】
2005124044.tif 000011
【図９】
2005124044.tif 000012
【図１０】
2005124044.tif 000013
【図１１】
2005124044.tif 000014
【図１２】
2005124044.tif 000015
【図１３】
2005124044.tif 000016